(57)【特許請求の範囲】
【請求項１】
水栓本体の主弁部を経て送られて来た水道水から成る原水を浄化フィルタに通して浄水とした上、吐水口より吐水するようになした浄水機能付きの水栓において、
前記吐水口として前記原水をストレート吐水する原水ストレート吐水口と、該原水をシャワー吐水する原水シャワー吐水口と、前記浄水をストレート吐水する浄水ストレート吐水口とを別々に設けるとともに前記浄化フィルタの下流部において、前記原水ストレート吐水口を開閉する原水ストレート弁部，原水シャワー吐水口を開閉する原水シャワー弁部，浄水ストレート吐水口を開閉する浄水弁部を一体に有する弁体を備えて該弁体の移動により、前記原水が前記浄化フィルタを通過して該弁体に到る流れと、該浄化フィルタを通過せずに直接該弁体に到る流れとに切り替えるとともに、併せて原水ストレート吐水，原水シャワー吐水及び浄水ストレート吐水を切り替える切替弁及びその操作を行う切替操作部を設けて成ることを特徴とする浄水機能付きの水栓。
【請求項２】
請求項１において、前記浄化フィルタ及び切替弁が可撓性のホースとともに引出しないし移動可能な吐水ヘッドに内蔵されており、該吐水ヘッドの外面に露出する状態で前記切替操作部が設けてあることを特徴とする浄水機能付きの水栓。
【請求項３】
請求項２において、前記吐水ヘッドが吐水管本体の先端側に取出可能に設けられており、該吐水ヘッドと吐水管本体とで前記水栓における吐水管を構成していることを特徴とする浄水機能付きの水栓。
【請求項４】
請求項１〜３の何れかおいて、前記切替弁がシリンダ式の弁であって円筒状をなす前記弁体と、該弁体に水密に外嵌する弁ケーシングとを有していることを特徴とする浄水機能付きの水栓。
【請求項５】
請求項４において、前記弁体は前記浄水弁部と原水弁部とを軸方向の異なった位置に備えていて、該弁体の回転により浄水吐水と原水吐水とを切り替えるとともに、該原水弁部は前記原水ストレート弁部，原水シャワー弁部を備えていて、該弁体の回転により前記切替弁の原水ストレート吐水用開口，原水シャワー吐水用開口を開閉し、前記原水ストレート吐水，原水シャワー吐水を切り替えるものとなしてあることを特徴とする浄水機能付きの水栓。
【請求項６】
請求項４，５の何れかにおいて、前記切替操作部が回転式の操作部であって、回転操作により前記円筒状の弁体を回転させ、原水ストレート吐水，原水シャワー吐水及び浄水ストレート吐水を切り替えるようになしてあることを特徴とする浄水機能付きの水栓。
【発明の詳細な説明】
【０００１】
【発明の属する技術分野】
この発明は水道水を浄化する機能を備えた浄水機能付きの水栓に関する。
【０００２】
【従来の技術】
水道水中には微細な砂，赤錆等濁りの元となる成分や殺菌用の塩素に起因するカルキ臭とか黴臭とかの臭いの元となる成分が含まれている。
そこで従来、水道水（原水）を内部に導き入れてこれを浄化フィルタに通し、浄水とした上で浄水吐水口から吐水する機能を有する浄水装置を水栓とは別体の単体のユニットとして構成し、これを水栓の蛇口、即ち吐水管の先端部に後付けで取り付けるといったことが行われている。
しかしながらこの単体且つ後付式の浄水装置の場合、これを水栓の吐水管の先端部に装着すると吐水管の先端部が不自然に大型化してしまって美観が損なわれてしまうといった問題がある。
【０００３】
一方、図１０に示しているように水栓２００とは独立に構成された浄水装置２０２をキッチン等のキャビネット内部に設置し、水栓２００からの水道水をこの浄水装置２０２に導いてここで浄化し、浄水とした上で再び水栓２００に戻して吐水管２０４の先端部（蛇口）から吐水するといったことも行われている。
【０００４】
この種形式の浄水装置２０２はビルトインタイプと称されているが、この浄水装置２０２を用いた場合、水栓２００特に吐水管２０４の先端部の形状は通常の水栓と全く変らず、従って外部に現れる部分について美観を良好に保持することができる。
【０００５】
一方でこの種形式の浄水装置２０２の場合、これをキャビネット内に設置するとキャビネット内部が煩雑化し、また浄水装置２０２の設置によってキャビネット内部の収納空間が狭められてしまうといった問題が生ずる。
近年キャビネット内の収納空間をできるだけ広く使おうとする傾向があり、このような中にあってこの種ビルトインタイプの浄水装置２０２を設置することが困難な場合も生じている。
【０００６】
他方キッチン等のカウンター上に通常の水栓と併せて浄水専用の水栓を設置するといったことも行われている。
しかしながらこの場合通常の水栓と浄水専用の水栓との２つの水栓が必要となり、カウンター上のスペースがそれら水栓にて広く占有されてしまうとともにコストも高くなるといった問題がある。
【０００７】
このような中にあって、この種の浄水機能即ち水道水から成る原水を浄化する機構を水栓に内蔵させることも提案されている（特開２００１−１７３４２号）。
この浄水機能付きの水栓は、図１１，図１２に示しているように可撓性のホースとともに引出可能な吐水ヘッド２０６の内部に浄化フィルタ２０８を収容するとともに、その下流部において浄水と原水（水道水）とを切り替える切替弁２１０とその切替操作部（押ボタン式の操作部）２１２とを設け、更にその下流部にストレート吐水とシャワー吐水とを切り替える切替弁２１４とその切替操作部（レバー式の操作部）２１６とを設けたものである。
【０００８】
この浄水機能付きの水栓では、図１３にも示しているように先ず押ボタン式の切替操作部２１２を操作して切替弁２１０により吐水を原水吐水から浄水吐水に若しくはその逆に切り替え、更にまたレバー式の切替操作部２１６を操作してその下流部に位置する切替弁２１４により吐水をストレート吐水からシャワー吐水に若しくはその逆に切り替えるといったものである。
【０００９】
【発明が解決しようとする課題】
しかしながらこの浄水機能付きの水栓では、図１４に示しているように原水と浄水との出口が同じであるため、現在原水が出ているのか浄水が出ているのか使用者が分り難いといった問題があり、更にまた原水と浄水との切替えを行う切替弁２１０と、ストレート吐水とシャワー吐水との切替えを行う切替弁２１４とがそれぞれ別々の弁として構成されている上、それぞれの切替操作部２１２，２１６が別々の操作部とされているため、吐水ヘッド２０６先端部の内部構造が複雑であるとともに操作を２度に亘って行わなければならないといった面倒がある。
【００１０】
【課題を解決するための手段】
本発明の浄水機能付きの水栓はこのような課題を解決するために案出されたものである。
而して請求項１のものは、水栓本体の主弁部を経て送られて来た水道水から成る原水を浄化フィルタに通して浄水とした上、吐水口より吐水するようになした浄水機能付きの水栓において、前記吐水口として前記原水をストレート吐水する原水ストレート吐水口と、該原水をシャワー吐水する原水シャワー吐水口と、前記浄水をストレート吐水する浄水ストレート吐水口とを別々に設けるとともに前記浄化フィルタの下流部において、前記原水ストレート吐水口を開閉する原水ストレート弁部，原水シャワー吐水口を開閉する原水シャワー弁部，浄水ストレート吐水口を開閉する浄水弁部を一体に有する弁体を備えて該弁体の移動により、前記原水が前記浄化フィルタを通過して該弁体に到る流れと、該浄化フィルタを通過せずに直接該弁体に到る流れとに切り替えるとともに、併せて原水ストレート吐水，原水シャワー吐水及び浄水ストレート吐水を切り替える切替弁及びその操作を行う切替操作部を設けて成ることを特徴とする。
【００１１】
請求項２のものは、請求項１において、前記浄化フィルタ及び切替弁が可撓性のホースとともに引出しないし移動可能な吐水ヘッドに内蔵されており、該吐水ヘッドの外面に露出する状態で前記切替操作部が設けてあることを特徴とする。
【００１２】
請求項３のものは、請求項２において、前記吐水ヘッドが吐水管本体の先端側に取出可能に設けられており、該吐水ヘッドと吐水管本体とで前記水栓における吐水管を構成していることを特徴とする。
【００１３】
請求項４のものは、請求項１〜３の何れかおいて、前記切替弁がシリンダ式の弁であって円筒状をなす前記弁体と、該弁体に水密に外嵌する弁ケーシングとを有していることを特徴とする。
【００１４】
請求項５のものは、請求項４において、前記弁体は前記浄水弁部と原水弁部とを軸方向の異なった位置に備えていて、該弁体の回転により浄水吐水と原水吐水とを切り替えるとともに、該原水弁部は前記原水ストレート弁部，原水シャワー弁部を備えていて、該弁体の回転により前記切替弁の原水ストレート吐水用開口，原水シャワー吐水用開口を開閉し、前記原水ストレート吐水，原水シャワー吐水を切り替えるものとなしてあることを特徴とする。
【００１５】
請求項６のものは、請求項４，５の何れかにおいて、前記切替操作部が回転式の操作部であって、回転操作により前記円筒状の弁体を回転させ、原水ストレート吐水，原水シャワー吐水及び浄水ストレート吐水を切り替えるようになしてあることを特徴とする。
【００１６】
【作用及び発明の効果】
上記のように本発明は、原水ストレート吐水口と、原水シャワー吐水口と、浄水ストレート吐水口とを別々に設けるとともに、原水ストレート弁部，原水シャワー弁部，浄水弁部を一体に有する弁体を備えた切替弁とその操作を行う切替操作部を設けたもので、本発明によれば、切替操作部を操作して切替弁の弁体を移動させることで原水吐水と浄水吐水との切替え、及び原水吐水におけるストレート吐水とシャワー吐水との切替えを行うことができる。
【００１７】
かかる本発明においては、原水ストレート吐水，原水シャワー吐水，浄水ストレート吐水がそれぞれ別々の吐水口を通じて行われるため、特に原水と浄水とが別々の吐水口から吐水されるため、現在原水が吐水されているのか浄水が吐水されているのかを使用者は直ちに判別することができる。
【００１８】
また本発明では単一の切替弁及び切替操作部によってそれらの切替えを行うことが可能であるため、水栓における切替弁内蔵部分の構造を簡略化，小型化することができ、また単一の切替弁及び切替操作部で所要の切替動作を行うことができるため、操作に面倒がないとともに必要な部材点数も少なくて済みコストも安価となすことができる。
【００１９】
ここで上記の浄化フィルタ及び切替弁は、可撓性のホースとともに引出しないし移動可能な吐水ヘッドに内蔵しておくことができ、またその外面に露出する状態で切替操作部を設けておくことができる（請求項２）。
またその吐水ヘッドは、吐水管本体の先端側に取出可能に設けられ、吐水管本体とともに水栓における吐水管を構成するものとなしておくことができる（請求項３）。
このようにした場合、近年キッチン水栓として広く用いられている水栓、即ち吐水ヘッドを可撓性のホースとともに引出可能となした水栓に対して浄水機能を付加することができる。
【００２０】
これらの場合において、上記切替弁を円筒状をなす弁体と、その弁体に水密に外嵌する弁ケーシングとを有するシリンダ式の弁となしておくことができる（請求項４）。
このようにすることで、原水吐水と浄水吐水及び原水吐水におけるストレート吐水とシャワー吐水とを単一の弁で切り替える切替弁を簡単に構成することができる。
【００２１】
この場合において上記弁体には浄水弁部と原水弁部とを軸方向の異なった位置に備えておき、弁体の回転により浄水吐水と原水吐水とを切り替えるようになすとともに、その原水弁部には原水ストレート弁部，原水シャワー弁部を備えておくことができる（請求項５）。
一方上記切替操作部は回転式の操作部となし、その回転操作により円筒状の弁体を回転させるものとなしておくことができる（請求項６）。
【００２２】
【実施例】
次に本発明の実施例を図面に基づいて詳しく説明する。
図１において、１０はキッチン水栓等として用いられるシングルレバー式の水栓（混合水栓）で、１２は吐止水及び吐水の水量調節と温度調節とを行うための主弁を内蔵した水栓本体で、１４はその上部に回動可能に設けられたシングルレバー式の操作部である。
この水栓１０では、操作部１４を左右回動操作することで吐水の温度調節が行われ、また上下に回動操作することで吐止水及び吐水の水量調節が行われる。
【００２３】
１６は水栓本体１２から延び出した吐水管で、水栓本体１２に固定の吐水管本体１８と、その先端側の吐水ヘッド２０とを有している。
ここで吐水ヘッド２０は可撓性のホース２２とともに吐水管本体１８から引出可能且つ引出状態において三次元に位置移動可能とされている。
【００２４】
この吐水ヘッド２０の先端部には、後に詳述する原水ストレート吐水，原水シャワー吐水及び浄水ストレート吐水を切替操作するためのレバー式且つ回転式の切替操作部２４が外部に突き出す状態で設けられている。
【００２５】
上記吐水ヘッド２０は、図２に示しているようにグリップ部２６とその先端側の頭部２８とを有しており、そのグリップ部２６の基端部にホース２２がシール部材３０によるシールの下に水密に接続固定されている。
ここでホース２２は、吐水管本体１８の中心部に形成されたホース挿通孔３２内部に軸方向に摺動可能に挿通されている。
【００２６】
この吐水管本体１８の先端部には差込凸部３４が設けられている。
一方吐水ヘッド２０の側には対応する差込凹部３６が形成されており、その差込凹部３６に差込凸部３４を差し込むようにして吐水ヘッド２０が吐水管本体１８の先端部に嵌められ且つ保持されるようになっている。
【００２７】
グリップ部２６は外筒３８と内筒４０との二重筒構造をなしており、その内部に原水（水道水）を通過させることによってこれを浄化する浄化フィルタ４２が収容されている。
浄化フィルタ４２は全体として円筒形状をなす部材であって、中心部の円筒形状の多孔質のセラミックフィルタ４４を有しており、これを支持体としてその外面に珪藻土４６の層が、更にその外面に活性炭４８の層が積層形成され、その外周面に不織布５０が巻き付けられている。
【００２８】
この浄化フィルタ４２は前後端に非通水性のエンドキャップ５２，５４を有している。
これらエンドキャップ５２，５４はそれぞれ透光性の部材にて構成されており、これらエンドキャップ５２，５４を通じて浄化フィルタ４２の端面、具体的にはセラミックフィルタ４４，珪藻土４６の層，活性炭４８の層，不織布５０の層の端面を外部から目視観察できるようになっている。
即ちこれらエンドキャップ５２，５４を通じて浄化フィルタ４２の各層の汚れ具合を目視観察できるようになっている。
【００２９】
これらエンドキャップ５２，５４の外周面には周方向に所定間隔でリブ５６が形成されており、それらリブ５６の外周端が内筒４０の内周面に当接するようになっている。
即ちこれらリブ５６によって浄化フィルタ４２の外周側、詳しくは浄化フィルタ４２の外周面とグリップ部２６における内筒４０の内周面との間に原水通路５８Ａが形成されている。
また浄化フィルタ４２におけるセラミックフィルタ４４の内側に浄水通路６０Ａが形成されている。
【００３０】
上記頭部２８には、図２及び図３に示しているようにその下面に、原水を整流束としてストレート吐水する原水ストレート吐水口６２，原水をシャワー水としてシャワー吐水する原水シャワー吐水口６４及び浄水を整流束としてストレート吐水する浄水ストレート吐水口６６がそれぞれ別々に設けられている。
またそれら各吐水口６２，６４，６６に連通して原水ストレート通路６８，原水シャワー通路７０及び浄水ストレート通路７２がそれぞれ形成されている。
【００３１】
上記浄化フィルタ４２の下流側であって頭部２８の内部には、原水ストレート吐水，原水シャワー吐水及び浄水ストレート吐水を切り替えるための切替弁７４（図４参照）が配設されている。
この切替弁７４はシリンダ式の弁であって、図４及び図６に示しているように段付形状且つ円筒状をなす弁体７６と、これに水密に外嵌する弁ケーシング７８とを有している。
【００３２】
弁体７６は軸方向に突き出す軸部８０を有しており、この軸部８０に対しレバー式且つ回転式の切替操作部２４の基部８２及びスペーサリング８４が一体回転状態に嵌合されている。
即ち、軸部８０の外周には雄スプライン部８６が形成される一方、切替操作部２４の基部８２及びスペーサリング８４の内周には雌スプライン部８８が形成されていて、それらが互いに噛み合う状態に軸部８０と基部８２及びスペーサリング８４とが嵌合され、それらスプライン部８６，８８の噛合いに基づいて軸部８０と基部８２及びスペーサリング８４とが一体回転するようになっている。
尚、軸部８０には雌ねじ孔９０が形成されていてそこに固定ねじ９２がねじ込まれ、以って軸部８０、即ち弁体７６と切替操作部２４とが軸方向に締結固定されている。
【００３３】
上記弁体７６には軸方向の異なった位置に大径部と小径部とが形成されており、その大径部によって原水弁部９４が、また小径部によって浄水弁部９６がそれぞれ構成されている。
原水弁部９４の内部空間，浄水弁部９６の内部空間はそれぞれ原水室９８，浄水室１００とされており、それらが仕切部材１０２にて軸方向に水密に仕切られている。
【００３４】
尚、原水弁部９４側の末端の開放部は閉鎖部材１０４にて閉鎖されている。
この閉鎖部材１０４には断面三角形状の仕切押え１０６が形成されており、その仕切押え１０６によって仕切部材１０２が軸方向に押えられている。
【００３５】
上記弁ケーシング７８には、図４及び図６に示しているように原水通路５８Ａからの原水を原水弁部９４の内側の原水室９８内部に流入させるための通水用の開口１０８と、浄水通路６０Ａからの浄水を浄水弁部９６の内側の浄水室１００内部に流入させるための通水用の開口１１０とが形成されている。
【００３６】
この弁ケーシング７８にはまた、円筒形状の差込嵌合部１１２が一体に形成されており、この差込嵌合部１１２がグリップ部２６における内筒４０の先端部内周面にＯリング１１４を介して水密に差込嵌合されている。
即ちこの差込嵌合部１１２を介して、弁ケーシング７８とグリップ部２６の内筒４０とが水密に接続されている。
【００３７】
１１６は弁ケーシング７８に形成された浄水を流入させるための通水用の開口１１０と、浄化フィルタ４２の中心部の浄水通路６０Ａとを連絡する連絡管であって、大径部１１８とこれより偏心した位置に形成された小径部１２０とを有しており、その大径部１１８の内部に、上記エンドキャップ５２に設けられた嵌合凸部１２２がＯリング１１４を介して水密に嵌合されている。
また小径部１２０が弁ケーシング７８に形成された嵌合凹部１２４内にＯリング１１４を介して水密に嵌合されている。
【００３８】
ここで連絡管１１６は、図４及び図６に示しているようにその内部に浄水通路６０Ａに続く浄水通路６０Ｂを形成しており、またその外側に、詳しくは差込嵌合部１１２との間に原水通路５８Ａに続く原水通路５８Ｂを形成している。
【００３９】
上記弁ケーシング７８には、弁体７６における原水弁部９４内部の原水室９８を上記原水ストレート通路６８に連通させるための原水ストレート吐水用開口１２６と、原水シャワー通路７０に連通させるための原水シャワー吐水用開口１２８とが半径方向に貫通する状態で設けられている。
また一方浄水弁部９６側においては、浄水室１００を浄水ストレート通路７２に連通させるための浄水用開口１３０が半径方向に貫通する状態で設けられている。
【００４０】
上記弁体７６における原水弁部９４は、原水ストレート弁部及び原水シャワー弁部を兼ねたものであって、図５にも示しているように弁ケーシング７８における開口１０８からの原水を原水室９８内に流入させるための通水用の開口１３２と、原水室９８を弁ケーシング７８における原水ストレート吐水用開口１２６又は原水シャワー吐水用開口１２８を経て、原水ストレート通路６８又は原水シャワー通路７０に連通させるための通水用の開口１３４とが半径方向に貫通する状態で設けられている。
ここで開口１３２は回転方向に長い長穴形状とされている。
【００４１】
また一方浄水弁部９６には、弁ケーシング７８における開口１１０からの浄水を浄水室１００内に流入させるための通水用の開口１３６と、浄水室１００を弁ケーシング７８における浄水用開口１３０を経て浄水ストレート通路７２に連通させるための通水用の開口１３８とが半径方向に貫通する状態で設けられている。
【００４２】
次に本例の浄水機能付きの水栓１０の作用を図７及び図８に基づいて以下に具体的に説明する。
図７（Ｉ）及び図８（Ｉ）は原水のストレート吐水状態を示している。
このときレバー式且つ回転式の切替操作部２４は最も上方に持ち上げられた状態にあり、また切替弁７４は、切替操作部２４の操作に基づいて図７（Ｉ）に示しているように弁体７６における原水弁部９４の長穴形状の開口１３２を弁ケーシング７８の開口１０８に連通させ、また弁体７６における開口１３４を弁ケーシング７８の原水ストレート吐水用開口１２６に連通させた状態にある。
また浄水弁部９６は弁ケーシング７８の開口１１０を閉鎖した状態にある。
【００４３】
従ってこの状態の下では、グリップ部２６内部の浄化フィルタ４２外周側に形成された原水通路５８Ａからの原水が、切替弁７４を経て原水ストレート通路６８及び原水ストレート吐水口６２へと到り、そこから下向きに整流束としてストレート吐水される。
このとき当然ながら浄水ストレート吐水口６６からの浄水の吐水は行われない。
【００４４】
次にこの状態から切替操作部２４を図７（II）の中間位置まで下向きに回転させると、図７（II）及び図８（II）に示しているように弁体７６における開口１３２と弁ケーシング７８の開口１０８との連通を保った状態で、弁体７６における開口１３４が弁ケーシング７８の原水シャワー吐水用開口１２８に一致する状態となり、ここにおいて原水通路５８Ａからの原水が、今度は原水シャワー通路７０及び原水シャワー吐水口６４に導かれて、そこより下向きにシャワー水として吐水される。
尚図８（II）に示しているように、このときにも切替弁７４における弁体７６の浄水弁部９６は浄水の通路を遮断した状態にあり、従って浄水ストレート吐水口６６からの浄水の吐水は行われない。
【００４５】
この状態から図７（III）及び図８（III）に示しているように切替操作部２４を更に下向きに回転操作すると、ここにおいてそれらの図に示しているように切替弁７４により原水の通路が遮断される一方、浄水の通路が開放される。
【００４６】
このとき原水通路５８Ａ内の原水は、原水の通路が切替弁７４によって遮断された状態となるため給水圧によって浄化フィルタ４２を半径方向に突き抜け、その中心部に形成されている浄水通路６０Ａへと到る。
そしてこの浄化フィルタ４２を通過することによって原水の浄化が行われる。
【００４７】
而して浄化フィルタ４２を通過して浄化された後の浄水は、浄化フィルタ４２内部の浄水通路６０Ａから弁ケーシング７８の開口１１０及び弁体７６における開口１３６を通じて浄水室１００内に流入し、更にその浄水室１００から弁体７６の開口１３８及び弁ケーシング７８の浄水用開口１３０を経て浄水ストレート通路７２へと流出し、更にその先端の浄水ストレート吐水口６６から下向きに整流束としてストレート吐水される。
【００４８】
以上のように本例の浄水機能付きの水栓１０の場合、図９に示しているように１つの切替弁７４の切替操作によって原水ストレート吐水，原水シャワー吐水及び浄水ストレート吐水が切り替えられ、それぞれが別々の吐水口６２，６４，６６より外部に吐水される。
即ち切替操作部２４を操作して切替弁７４の弁体７６を回転（移動）させることで、原水吐水と浄水吐水との切替え及び原水吐水におけるストレート吐水とシャワー吐水との切替えを行うことができる。
【００４９】
本例においては、原水ストレート吐水，原水シャワー吐水，浄水ストレート吐水がそれぞれ別々の吐水口６２，６４，６６から吐水されるため、特に原水と浄水とが別々の吐水口６２，６４と６６とから吐水されるため、現在原水が吐水されているのか浄水が吐水されているのかを使用者は直ちに判別することができる。
【００５０】
更に本例では単一の切替弁７４及び切替操作部２４によってそれらの切替えを行うことができるため、水栓１０における切替弁７４内蔵部分の構造を簡略化，小型化することができ、また操作が簡単であるとともに切替動作に要する部材点数も少なくて済みコストも安価となすことができる。
【００５１】
また本例では切替弁７４を弁体７６と弁ケーシング７８とを有するシリンダ式の弁となしていることから、原水吐水と浄水吐水及び原水吐水におけるストレート吐水とシャワー吐水とを単一の弁で切り替える切替弁７４を簡単に構成することができる。
【００５２】
以上本発明の実施例を詳述したがこれはあくまで一例示である。
例えば上例では原水弁部９４が原水ストレート弁部と原水シャワー弁部とを兼ねているが、原水ストレート弁部と原水シャワー弁部とを軸方向の異なった位置に設けて、それぞれにおいて原水ストレート吐水口６２からの吐水，原水シャワー吐水口６４からの吐水を各弁部の回転に伴って制御するようになすことも可能である。
【００５３】
また上例では浄水については浄水ストレート吐水口６６のみを設けているが、浄水ストレート吐水口と浄水シャワー吐水口とを設けて、共通の弁体の回転により浄水吐水を切り替えるようになすといったことも場合により可能である。
【００５４】
また上記実施例は吐水管本体１８から可撓性のホース２２とともに引出可能な吐水ヘッド２０に浄化フィルタ４２と切替弁７４及びその切替操作部２４とを設けた例であるが、本発明は通常のシャワーヘッドを備えた浴室の水栓やその他様々な形態の水栓に対して適用することが可能であるなど、その主旨を逸脱しない範囲において種々変更を加えた形態で構成可能である。
【図面の簡単な説明】
【図１】本発明の一実施例である浄水機能付きの水栓を外観状態で示す図である。
【図２】同実施例の吐水ヘッドの内部構造を示す図である。
【図３】図２に示す構造を各部材に分解した状態で示す図である。
【図４】図２の吐水ヘッドの先端部の内部構造を拡大して示す図である。
【図５】図４に示す切替弁の作用説明図である。
【図６】図４の要部を各部材に分解して示す図である。
【図７】同じ実施例の作用を内部の切替弁の作動状態とともに断面図で示す図である。
【図８】同じ実施例の作用を切替弁の作動状態と切替操作部の操作状態とを関連させて示した図である。
【図９】同じ実施例の切替弁による切替機能を模式化して示す図である。
【図１０】従来のビルトインタイプの浄水装置をキャビネット内に設置した状態で示す図である。
【図１１】従来公知の浄水機能付きの水栓の要部を一部切り欠いて示す図である。
【図１２】図１１の浄水機能付きの水栓の要部を示す図である。
【図１３】図１１及び図１２に示す浄水機能付きの水栓の切替弁による切替機能を模式化して示す図である。
【図１４】図１１〜図１３の浄水機能付きの水栓の吐水状態を示す図である。
【符号の説明】
１０  水栓
１２  水栓本体
１６  吐水管
１８  吐水管本体
２０  吐水ヘッド
２２  ホース
２４  切替操作部
４２  浄化フィルタ
６２  原水ストレート吐水口
６４  原水シャワー吐水口
６６  浄水ストレート吐水口
７４  切替弁
７６  弁体
７８  弁ケーシング
９４  原水弁部（原水ストレート弁部，原水シャワー弁部）
９６  浄水弁部
１２６  原水ストレート吐水用開口
１２８  原水シャワー吐水用開口
【図１】
0003708840.tif 000002
【図２】
0003708840.tif 000003
【図３】
0003708840.tif 000004
【図４】
0003708840.tif 000005
【図５】
0003708840.tif 000006
【図６】
0003708840.tif 000007
【図７】
0003708840.tif 000008
【図８】
0003708840.tif 000009
【図９】
0003708840.tif 000010
【図１０】
0003708840.tif 000011
【図１１】
0003708840.tif 000012
【図１２】
0003708840.tif 000013
【図１３】
0003708840.tif 000014
【図１４】
0003708840.tif 000015